(57)【特許請求の範囲】
【請求項１】
刃先を備えた少なくとも２個の刃物がヘアーカット剃刀用母材に立起され、該刃先が刃物の立起方向に対して直角方向に配置されてなるヘアーカット用剃刀において、少なくとも２個の刃物の刃先が互いに同方向に配置されてなると共に、該刃物が並列に配置されてなることを特徴とするヘアーカット用剃刀。
【請求項２】
該刃物が、ヘアーカット剃刀用母材の長手方向と平行する基準線Ｌと鋭角に交差するように向きながら配置されていることを特徴とする請求項１記載のヘアーカット用剃刀。
【請求項３】
取扱い時の傷害を抑制する制御部材が該刃物の刃先の傍らに設けられてなることを特徴とする請求項１又は２に記載のヘアーカット用剃刀。
【請求項４】
取扱い時の傷害を抑制する制御部材が細長いピン状部材からなることを特徴とする請求項１乃至３のいずれかに記載のヘアーカット用剃刀。
【請求項５】
刃先を備えた少なくとも２個の刃物が剃刀用母材に立起され、該刃先が刃物の立起方向に対して直角方向に配置され、少なくとも２個の刃物の刃先が互いに同方向に配置されてなると共に、該刃物が並列に配置されてなるものであって、ヘアーカット剃刀本体に着脱自在に設けられてなることを特徴とするヘアーカット交換用剃刀。
【請求項６】
該刃物が、剃刀用母材の長手方向と平行する基準線Ｌと鋭角に交差するように向きながら配置されていることを特徴とする請求項５記載のヘアーカット交換用剃刀。
【請求項７】
取扱い時の傷害を抑制する制御部材が該刃物の刃先の傍らに設けられてなることを特徴とする請求項５又は６に記載のヘアーカット交換用剃刀。
【請求項８】
取扱い時の傷害を抑制する制御部材が細長いピン状部材からなることを特徴とする請求項５乃至７のいずれかに記載のヘアーカット交換用剃刀。
【請求項９】
請求項１〜４のいずれかに記載のヘアーカット用剃刀をヘアーブラシの細長いピン状部材内に一体化させたものにおいて、刃先側と刃後ろ側の細長いピン状部材の密度に差を持たせることで、ブラッシングの際の髪の毛の抵抗が刃先側と刃後ろ側とで異なっていることを特徴とするヘアーカット用剃刀と一体化されたヘアーブラシ。
【請求項１０】
刃先側の細長いピン状部材の密度を刃後ろ側よりも少なくすることでブラッシングの際の髪の毛の抵抗が刃先側において刃後ろ側よりも小さくなっていることを特徴とする請求項９記載のヘアーカット用剃刀と一体化されたヘアーブラシ。
【請求項１１】
請求項１〜４のいずれかに記載のヘアーブラシと一体化されたヘアーカット用剃刀がブラシに対して着脱自在であって交換可能なものであることを特徴とする請求項９又は１０に記載のヘアーブラシ。
【発明の詳細な説明】
【技術分野】
この発明は、毛髪を部分的に切断するヘアーカット用剃刀およびヘアーカット用剃刀に供するヘアーカット交換用剃刀に関する。
【背景技術】
毛髪の美粧を図ることを目的として、ヘアーカット用剃刀を採用することは広く行われている。
たとえば、特開２００３−１９０６７５公報に記載された形態の発明が知られている。
この例は、該剃刀３０の刃体３２は刃縁３４から飛び出した半円状の突起３６により刃縁３４が断続して被覆され、露出した刃縁３４ａと被覆された刃縁３４ｂが交互に設けられている。
そして、隣接する一対の前記した突起３６、３６間には毛髪の切断時の梳き量を制限することを目的とした溝３８が設けられているものである（図１２、図１３を参照）。
【特許文献１】
特開２００３−１９０６７５公報
【発明の開示】
【発明が解決しようとする課題】
しかし、前記の背景技術では毛髪の切断時に前記した刃体３２の露出した刃縁３４ａに供給される毛髪の量は突起３６により安定化する有利性について評価できるとしても、毛髪に対して露出した刃縁３４ａは、周知のこの種の剃刀と同様に直角（十文字状）に臨むことになる（図１４、図１５を参照）。
したがって、剃刀３０を頭部Ｔの頭皮に沿わせて移動することにより、毛髪Ｈを確実に切断できることを否定するものではないものの、次の点に問題があった。
毛髪Ｈに対して露出した刃縁３４ａが直角に臨むことになるから、とかく過剰に毛髪Ｈを切断するおそれを回避できなかった。
この点をさらに、図１２〜図１５を参照して説明すると、刃体３２の刃縁３４ａは毛髪Ｈに対して図示のように直角方向に移動することになるから、毛髪Ｈを確実に切断できるものの、その刃縁３４ａの傾斜角度が毛髪Ｈに対して鋭角から直角に向かうほどその切断機能は向上するが、切断機能が向上するに従い、毛髪Ｈを過剰に切断しがちになり、非切断部の毛髪部と切断部の毛髪部に較差を生じ、いわゆる“虎刈り現象”を発生するおそれがあった。
他方、毛髪Ｈの虎刈り現象を回避するため、過剰な毛髪の切断を抑制することを意図して刃縁３４ａの傾斜角度を変化させようとしても、その作業は必ずしも容易ではなかった。
剃刀３０を自身により頭部の毛髪Ｈを切断する場合、とりわけ、見ることに困難のある頭部の背面の毛髪Ｈをを勘といわゆる“こつ”を頼りに行うことになるから、毛髪Ｈの過剰な切断あるいは反対に毛髪の切断量が少量になるおそれがあり、その結果、虎刈りの現象を回避するには困難性が残った。
この虎刈り現象を回避しようとすれば、毛髪Ｈに対する剃刀３０の刃縁３４ａの当接角度を適宜に調整して行う必要があった。
しかし、剃刀３０の刃縁３４ａの傾斜角度を一定に設定し、その角度を保持しつつ、毛髪Ｈの切断を継続的に実施するにはその作業が手作業による性質上極めて困難であり、結局、バランスのとれた毛髪Ｈを調整することが困難であった。
この発明の目的は、前記の背景技術の構成が有していた問題点を解決しようとするものであり、過剰に毛髪を切断したり、その反対に毛髪の切断量が少量になることがなく、とりわけ、虎刈り現象を生じることのないヘアーカット用剃刀を提供することとそのヘアーカット用剃刀に供するヘアーカット交換用剃刀を提供することにある。
他の目的は、ヘアーカット用剃刀およびヘアーカット交換用剃刀の取扱い時に刃物により、人体の指などを損傷させるおそれのない安全性に優れたヘアーカット用剃刀およびヘアーカット交換用剃刀を提供することにある。
ヘアーカット用剃刀およびヘアーカット交換用剃刀のその他の目的は、以下の説明と図面を参照して容易に理解されるであろう。
【課題を解決するための手段】
本発明は上記したような既存技術における課題を解消すべく実験と検討を重ねて創案されたものであり、以下のような技術的特質を有している。
第１の課題解決手段は、刃先を備えた少なくとも２個の刃物がヘアーカット剃刀用母材に立起され、該刃先が刃物の立起方向に対して直角方向に配置されてなるヘアーカット用剃刀において、少なくとも２個の刃物の刃先が互いに同方向に配置されてなると共に、該刃物が並列に配置されてなることを特徴とするものである。
第２の課題解決手段は、第１の課題解決手段において、該刃物が、ヘアーカット剃刀用母材の長手方向と平行する基準線Ｌと鋭角に交差するように向きながら配置されていることを特徴とするものである。
第３の課題解決手段は、第１又は第２の課題解決手段において、取扱い時の傷害を抑制する制御部材が該刃物の刃先の傍らに設けられてなることを特徴とするものである。
第４の課題解決手段は、第１、第２又は第３の課題解決手段において、取扱い時の傷害を抑制する制御部材が細長いピン状部材からなることを特徴とするものである。
以下に記載する第５〜第８の課題解決手段は、何れもヘアーカット剃刀用母材に着脱自在に設けられる刃物を有するヘアーカット交換用剃刀に関するものである。
第５の課題解決手段は、刃先を備えた少なくとも２個の刃物が剃刀用母材に立起され、該刃先が刃物の立起方向に対して直角方向に配置され、少なくとも２個の刃物の刃先が互いに同方向に配置されてなると共に、該刃物が並列に配置されてなるものであって、ヘアーカット剃刀本体に着脱自在に設けられてなることを特徴とするものである。
第６の課題解決手段は、第５の課題解決手段において、該刃物が、剃刀用母材の長手方向と平行する基準線Ｌと鋭角に交差するように向きながら配置されていることを特徴とするものである。
第７の課題解決手段は、第５又は第６の課題解決手段において、該刃物の刃先の傍らに取扱い時の傷害を抑制する制御部材が設けられてなることを特徴とするものである。
第８の課題解決手段は、第５、第６又は第７の課題解決手段において、取扱い時の傷害を抑制する制御部材が細長いピン状部材からなることを特徴とするものである。
第９の課題解決手段は、請求項１〜４のいずれかに記載のヘアーカット用剃刀をヘアーブラシの細長いピン状部材内に一体化させたものにおいて、刃先側と刃後ろ側の細長いピン状部材の密度に差を持たせることで、ブラッシングの際の髪の毛の抵抗が刃先側と刃後ろ側とで異なっていることを特徴とするヘアーカット用剃刀と一体化されたヘアーブラシである。
第１０の課題解決手段は、刃先側の細長いピン状部材の密度を刃後ろ側よりも少なくすることでブラッシングの際の髪の毛の抵抗が刃先側において刃後ろ側よりも小さくなっていることを特徴とする請求項９記載のヘアーカット用剃刀と一体化されたヘアーブラシである。
第１１の課題解決手段は、ヘアーブラシと一体化されたヘアーカット用剃刀がブラシに対して着脱自在であって交換可能なものであることを特徴とする請求項９又は１０に記載のヘアーブラシである。
第１及び第５の課題解決手段で、刃先が刃物の立起方向に対して直角方向に配置されとは、刃先１２ａは刃物１２と一体のものであるので、刃物１２の立起に伴って刃先１２ａも立起し、該立起した刃先１２ａが第３図に見られるように横方向（直角方向）を指向することを意味する。
【図面の簡単な説明】
図１は、この発明の実施の形態１に係るヘアーカット用剃刀の斜視図である。
図２は、この発明の実施の形態１に係る他のヘアーカット用剃刀の斜視図である。
図３は、この発明の実施の形態に係るヘアーカット用剃刀の要部の拡大側面図である。
図４は、この発明の実施の形態に係るヘアーカット用剃刀の使用状態を示す拡大説明図である。
図５は、この発明の実施の形態に係るヘアーカット用剃刀の使用状態を示す拡大説明図である。
図６は、この発明の実施の形態に係るヘアーカット用剃刀による毛髪の切断用状態を示す拡大説明図である。
図７は、この発明の実施の形態２に係るヘアーカット用剃刀の斜視図である。
図８は、この発明の実施の形態２に係る他のヘアーカット用剃刀の斜視図である。
図９は、この発明の実施の形態に係るヘアーカット交換用剃刀の斜視図である。
図１０は、この発明の実施の形態に係るヘアーカット交換用剃刀の使用状態を示す斜視図である。
図１１は、図１０の要部の拡大断面図である。
図１２は、背景技術の要部の拡大正面図である。
図１３は、背景技術の要部のさらに拡大正面図である。
図１４は、背景技術の使用状態を示す拡大説明図である。
図１５は、背景技術のヘアーカット用剃刀による毛髪の切断状態を示す拡大正面図である。
図１６は、本発明のヘアーカット用剃刀とヘアーブラシとを一体化した場合に実施状況の一例を示した図面である。
上記した各図面において、１０は、ヘアーカット用剃刀であり、１２は、刃物であり、１２ａは、刃物の刃先であり、１４は、ヘアーカット剃刀用母材であり、１６は、ハンドルであり、１８は、制御部材であり、２０は、ヘアーカット交換用剃刀であり、２２ａは、凹凸面であり、２２ｂは、ストッパーであり、２２ｃは、つまみであり、２２ｅは、係合段部であり、２４は、嵌合孔であり、Ｈは、毛髪であり、Ｔは、頭部であり、２５はヘアーブラシである。
作用効果
第１の課題解決手段は、上記のように構成されているから、以下の作用効果を奏する。
このヘアーカット用剃刀の刃体側を毛髪に向け、かつ、頭皮に沿わせて一般的には頭部の頂部側から首側に移動させる。
この場合、刃物の刃先は背景技術のように毛髪に対して直角方向に接することなく、その刃先は毛髪を擦るようにして移動するから、毛髪は段を生じることなく、１本の毛髪についていえば切断開始部から切断末尾部にかけて斜めに切断される（図６を参照）。
この発明では、剃刀を移動させることにより、刃物の刃先が毛髪の長さ方向に追従して下方に向けられ、毛髪を擦るようにあるいは削るようにして刃先の移動とともに毛髪が徐々に切断される（図４、図５、図６を参照）。
この場合、刃物の刃先は毛髪に沿うようにして接触しつつ切断することになるから、毛の切断量は頭側から首側にかけて徐々に少なくなる。
このことは、毛髪が一般的に毛根側が太く毛髪の先端側にかけて徐々に細くなっている点に着目したとき、毛髪は自然の生え具合に擬似化され、いわゆる虎刈りを生じない（図４、図５、図６を参照）。
第２の課題解決手段は、刃物が、ヘアーカット剃刀用母材の長手方向と平行する基準線Ｌと鋭角に交差するように向きながら配置されてなるから、一層、毛髪の切断機能の向上化に寄与する。
つまり、毛髪の切断は人体の球状の頭皮に沿わせておこなわれるが、この場合刃物の刃先は円弧を描くように一定範囲の角度を以て移動する。
そこで、その移動する場合の角度に対応させて刃先が傾斜されていることにより、理想に近い切断角度を得ることができ、よって一層、好ましい毛髪の切断を行うことができる。
第３の課題解決手段は、ヘアーカット剃刀の取扱い時の傷害を抑制する制御部材が刃先の傍らに設けられてなるから、指などに傷害を生じるおそれがない。
第４の課題解決手段は、制御部材が細長いピン状部材であるから、刃物と細長いピン状部材により毛髪を梳きつつ、切断を行うことができる。
第５の課題解決手段は、このヘアーカット交換用剃刀がヘアーカット剃刀本体に装着されることにより、剃刀の劣化に備えてヘアーカット交換用剃刀を交換できるから、切れ味の良いヘアーカット剃刀を常時に手軽に得ることができる。
第６の課題解決手段は、刃物が、剃刀用母材の長手方向と平行する基準線Ｌと鋭角に交差するように向きながら配置されてなるから、第２の課題解決手段と同様に毛髪の切断機能の向上化に寄与する。
第７の課題解決手段は、刃物の刃先の傍らに取扱い時の傷害を抑制する制御部材が設けられてなるから、第３の課題解決手段と同様に、指などに傷害を生じるおそれがない。
第８の課題解決手段は、制御部材が細長いピン状部材であるから、刃物と細長いピン状部材により毛髪を梳きつつ、第４の課題解決手段と同様に、切断を行うことができる。
第９の課題解決手段は、ヘアーカット用剃刀をヘアーブラシの細長いピン状部材内に一体化させたものにおいて、刃先側と刃後ろ側の細長いピン状部材の密度に差を持たせているから、ブラッシングの際の髪の毛の抵抗を刃先側と刃後ろ側とで差をつけることができる。
第１０の課題解決手段は、刃先側の細長いピン状部材の密度を刃後ろ側よりも少なくしてあるので、ブラッシングの際の髪の毛の抵抗が刃先側において刃後ろ側よりも小さくすることができる。
第１１の課題解決手段は、ヘアーブラシと一体化されたヘアーカット用剃刀がブラシに対して着脱自在であって交換可能なものであるから、第５の課題解決手段と同様に、切れ味の良いヘアーカット剃刀を常時に手軽に得ることができる。
【発明を実施するための最良の形態】
この発明の実施の形態に係るヘアーカット用剃刀１０およびヘアーカット交換用剃刀２０の発明を図面を参照して説明する。
【実施例１】
実施の形態１のヘアーカット用剃刀１０について説明する。
この例は、刃先１２ａを備えた刃物１２がヘアーカット剃刀用母材１４上に固定され、刃物１２は並列であって、５個の刃物１２のそれぞれの刃先１２ａは同方向であって図面上刃先１２ａが左側に向けられた例である（図１を参照）。なお、詳細については追ってさらに説明するが、図１に示される例は、頭部Ｔの頭皮の毛髪の背面において右側から首側にかけて毛髪を切断する場合の好ましい例であり、いわば右手用といえる。
他方、図２に示される例は図１の例と対称に刃先１２ａが図面上右側に向けられた左手用といえる。
これらの例は、それぞれ刃先１２ａを備えた刃物１２がヘアーカット剃刀用母材１４に立起され、その刃先１２ａが刃物１２の立起方向に対して直角方向に配置されてなることを基本的構成とするものである。
ヘアーカット剃刀用母材１４の一端にハンドル１６を設けることはこの種の剃刀１０では一般的ではあるが、ハンドル１６は使用上の単なる便宜上のものであるから、この発明において必須とするものではない。
刃先１２ａを備えた刃物１２の数は、原則的に１個で足りるものの、一般的には２個以上たとえば、図１、図２に示されるように５個程度立起されていることが好ましい。
刃物１２の具体的構成をさらに図３を参照して説明すると、長方形の薄い板状の刃物１２が断面略Ｕ状のプラスチック製の刃物用カバー１２ｂ内に刃先１２ａをそのカバー１２ｂの開放側に露出させて内装されている。
刃物１２は一般的に知られるように金属製であるから頭皮の毛髪を切断する場合、危険の抑制に配慮を欠くことができない。
そこで、この発明では、刃物１２がその使用時に人体の頭皮に妄り接触して傷害を与えることのないように毛髪の切断に必要な刃先１２ａ側を除いてその周囲の大部分は前記した刃物用カバー１２ｂとヘアーカット剃刀用母材１４により被覆されている。
また、刃物１２は前記したように、一般的には薄い板状のものであり、強度に欠けることを否めないから、刃物用カバー１２ｂ内に内装させることにより、刃物１２の強度の増加を図ることも意図されている。
さらにいえば、刃物用カバー１２ｂにプラスチックスを採用する場合は、その材質により、剃刀１０の使用時における頭皮に対する傷害の回避に寄与できる有利性もある。
刃物１２のカバー１２ｂには、図３に示されるように、刃物１２の刃先１２ａの延長線に対して直角方向に刃先１２ａの延長線を越えて僅かに飛び出た突起１２ｃが一定間隔毎に３個設けられている。
これらの突起１２ｃにより、カバー１２ｂの強度の増加を図ることができることのほか、突起１２ｃを一定の間隔毎に設けることにより、切断時に隣接する刃物１２間に導入される毛髪Ｈを突起１２ｃにより分断できる。
したがって、毛髪Ｈが刃先１２ａの局部に集中されないので、刃先１２ａに集中応力が奏しないから、毛髪Ｈを円滑に切断できるほか、刃先１２ａに負荷がかからない。
刃物１２の刃先１２ａの傍らに立起されピン状のものは、剃刀１０の取扱い時における人体の指先などを保護する制御部材１８である。
この制御部材１８は、毛髪Ｈの切断時に刃先１２ａへ導入される毛髪Ｈに対して傷害にならないようにその位置は、刃先１２ａの中心線から例えば５ｍｍ程度左右に外れていることが好ましい。
この発明の実施の形態１についてその作用効果を説明する（図４、図５、図６を参照）。
ヘアーカット剃刀１０の刃物１２側を毛髪Ｈに向け、かつ、頭皮Ｔに沿わせて一般的には頭部の頂部から首側に移動させる。
この場合、刃物１２の刃先１２ａは背景技術のように毛髪Ｈに対して直角方向に接することなく、その刃先１２ａは毛髪Ｈに沿って毛髪Ｈを擦るようにして移動する。
この点をさらに詳細に説明すると、剃刀１０を移動させることにより、刃物１２の刃先１２ａが毛髪Ｈの長さ方向に追従するようにして人体の首側に向けられ、毛髪Ｈに沿って、かつ、毛髪Ｈを擦るようにして図４、図５の矢印Ｙ方向に向けてその移動とともに毛髪Ｈが徐々に切断される。
この場合、刃物１２の刃先１２ａは毛髪Ｈに対して背景技術のように直角方向に刃体３２が移動することなく鋭角方向に移動する。
そして、鋭角方向に移動する刃先１２ａは頭部の上方に位置する毛髪Ｈから首側に位置する毛髪Ｈにかけて徐々に移動することになるが、この場合、刃先１２ａの移動方向は毛髪Ｈに対して平行に近い鋭角方向であるから、刃先１２ａは決して毛髪Ｈに対して直角方向に移動しないので、背景技術の刃縁３４ａが毛髪に対して直角方向に移動するものと異なり、毛髪Ｈをいわば削るようにして切断でき、先細の状態による毛髪Ｈを得ることができるから、違和感のない毛髪の美粧を行うことができる（図６を参照）。
したがって、毛髪Ｈの切断部と非切断部との切断量に較差が生じないから、虎刈りを発生することなく、毛髪の調整を平均化して行うことができる。
【実施例２】
実施の形態２について説明する。
この例は、発明の本質において実施の形態１と比較して相違が少ないから、原則的に相違する構成について言及し、共通する構成については前記した実施の形態１の説明を援用する。
この例を、図７、図８を参照して説明すると、前記した実施の形態１では、刃物１２は傾斜されることなく、平行に設けられているが、この実施の形態では刃物１２の刃先１２ａの向きを同方向に設定しつつ、基準線Ｌを境にして図面上右上方に傾斜されたものと、基準線Ｌを境にして図面上左上方に傾斜されたものが設けられている（図７、図８を参照）。
したがって、この実施の形態は、使用に際して右手用と左手用に供するものである点で実施の形態１と共通である。
ヘアーカット用剃刀１０の使用時の毛髪Ｈに対する刃先１２ａの角度は、使用者の好み、毛髪Ｈの梳き部位や切断する部位により、異なることが少なくない。
さらに、利き腕の相違によっても毛髪Ｈに対する角度が相違することが予測される。
そこで、発明者は、前記の使用条件の相違を考慮し、実験的に使用角度の研究を試みた。
その結果、たとえば、利き腕が右利きであって、右後頭部の毛髪Ｈを右側から首方向に向けてヘアーカット用剃刀１０を斜めに移動させて、毛髪Ｈを梳き、かつ、切断する場合を基準としたとき、刃物１２の刃先１２ａの傾斜角度は、ヘアーカット剃刀用母材１４の基準線Ｌに対して図面上左上方に１０〜８０度の範囲、このましくは６０度程度傾斜されていることが適当であることが判明した（図７を参照）。
他方、利き腕が左利きであって、左後頭部の毛髪Ｈを梳き、かつ、切断する場合を基準としたときのその傾斜角度は、前記と対称的にヘアーカット剃刀用母材１４の基準線Ｌに対して図面上右上１００〜１７０度の範囲、好ましくは１２０度が適当であることが判明した（図８を参照）。
【実施例３】
次にこの発明のさらに他の実施の形態について説明する。
以下に説明する例は、前記したヘアーカット用剃刀１０の刃物１２の使用による劣化に備えてヘアーカット剃刀用母材１４にヘアーカット交換用剃刀２０を着脱自在としたものである。
ヘアーカット交換用剃刀２０の詳細は図９〜図１１を参照して明らかであるが、刃物１２がヘアーカット剃刀用母材１４に非着脱の状態で装着されているヘアーカット用剃刀１０に対して、このへアーカット交換用剃刀２０では、ヘアーカット剃刀用母材１４に刃物１２を装着するに代えて剃刀用母材２２に刃物１２や制御部材１８が設けられている相違に止まるから、前記したヘアーカット用剃刀１０と共通する構成についてはその説明を援用し、その記載を省略する。
また、ヘアーカット用剃刀１０を着脱可能にする剃刀用母材２２の構成を併せて説明する（図９、図１０、図１１を参照）。
ヘアーカット用剃刀１０は、刃物１２が剃刀用母材２２に立起され、前記の刃物１２の傍らに制御部材１８が立起されている（図９、図１０を参照）。
この実施の形態では、刃物１２が５個設けられているが、その数は必要に応じて設けることは前記したヘアーカット用剃刀１０の場合と同様に自由である。
ヘアーカット用剃刀１０は、剃刀用母材２２に形成された嵌合孔２４に着脱自在に設けるようにしたものであるから、刃物用母材２２が嵌合孔２４の形態に対応して設けられている（図９〜図１１を参照）。
さらに具体的にいえば、該母材２２の一側は波状の凹凸面２２ａとして形成され、一方ヘアーカット剃刀用母材１４の嵌合孔２４の一側は、母材２２の一側の波状の凹凸面２２ａに対応させて波状の凹凸面として形成されている（図９、図１０を参照）。
さらに、母材２２の長手方向の両側にはストッパー２２ｂ、２２ｂが形成されている。
一方、ヘアーカット剃刀用母材１４の表面側における嵌合孔２４の開口の両側には、前記のストッパー２２ｂ、２２ｂに対応する係合段部２２ｅ、２２ｅが形成されている（図１１を参照）。
かくして、このヘアーカット用剃刀１０の刃物１２側をヘアーカット剃刀用母材１４の表面から下面に向け、刃物用母材２２をヘアーカット剃刀用母材１４の嵌合孔２４に嵌合する。
そして、該母材２２の波状の凹凸面２２ａが、ヘアーカット剃刀用母材１４の嵌合孔２４の波状の凹凸面に嵌合され、さらに、該母材２２に設けられたストッパー２２ｂ、２２ｂがヘアーカット剃刀用母材１４の係合段部２２ｅ、２２ｅにより支持され、ヘアーカット交換用剃刀２０をヘアーカット剃刀用母材１４に妄動することなく、確実に装着でき、ヘアーカット交換用剃刀２０を取り外しに備えて該母材２２につまみ２２ｃが設けられている（図９を参照）。
かくして、前記のヘアーカット交換用剃刀２０の該母材２２をヘアーカット剃刀用母材１４の嵌合孔２４に嵌合することにより、刃先１２ａを備えた刃物１２がヘアーカット剃刀用母材１４上に立起されたヘアーカット用剃刀１０を得ることができる（図９、図１１を参照）。
ヘアーカット交換用剃刀２０が装着されたヘアーカット用剃刀の作用効果は、前記したヘアーカット用剃刀１０の作用効果と共通である。
刃物１２が劣化した際に、ヘアーカット交換用剃刀２０をヘアーカット剃刀用母材１４から取り外し、新規のヘアーカット交換用剃刀２０を装着することにより、切断機能にすぐれたヘアーカット用剃刀を手軽に得ることができる。
更に本発明の別な実施形態について説明する。
すなわち、代表的に図１６に示されるように本発明のヘアーカット用剃刀１０をヘアーブラシの細長いピン状部材内において一体的に構成せしめた実施形態であり、特に細長いピン状部材の密度を刃先の前側と後側とで異なるようにしたことを特徴としていることが理解できる。
つまり、相対的に細長いピン状部材の密度の低い側においては実際に髪の毛等をブラッシングする際の抵抗が少なくブラシの通りが良好になる。一方細長いピン状部材の密度の高い側ではブラッシングの抵抗が相対的に大きくなるがブラッシング自体は繊細且つ丁寧に行われることになり良好な仕上がり状態を実現することが可能となるのである。
「細長いピン状部材」は、ブラシ歯、梳き歯、ブラシ毛、くし歯などを用いることができ、横断面が円形のほか、角張って指などに傷害を与えるようなものでなければ形態を問わない。
なお、制御部材１８が細長いピン状部材である場合、毛髪Ｈを梳きつつ毛髪Ｈの切断を行うことができる。
ヘアーカット用剃刀１０の刃先に対して前後どちら側の細長いピン状部材の密度を相対的に高めるかは目的に応じて任意に選択すれば良い。ただし、実際にヘアーカット及びブラッシングを行う上での効果を実感するには刃先前後での細長いピン状部材の密度の相対的な差異を最低で５％以上とする必要がある。より好ましくは細長いピン状部材密度差を１０〜３０％とするべきである。
本発明において効率的にヘアーカットとブラッシングを行うには刃先の前側における細長いピン状部材の密度を後側よりも相対的に低いものとすることが望ましい。すなわち、刃先において髪の毛をカットする前は比較的大雑把に整えられれば良く、カット後の髪の毛は丁寧なブラッシング仕上げを施されるのが望ましいからである。
【産業上の利用可能性】
上記してきたような本発明によるときは、適切且つ安全なヘアーカット作業を簡単且つスピーディに実現することが可能となり、特別な専門技術を有しない者であっても所望のヘアーカット作業を確実に実現することができると共に、専門技術を有する者にとっても従来は煩雑な手間を要したような微妙なヘアーカット作業を能率的に行うことができるようになるものであり、業界に新たに大きな需要をもたらす可能性を持った発明であるから、産業上の利用可能性において優れたものであると理解されるべきである。
【図１】
0004020404.tif 000002
【図２】
0004020404.tif 000003
【図３】
0004020404.tif 000004
【図４】
0004020404.tif 000005
【図５】
0004020404.tif 000006
【図６】
0004020404.tif 000007
【図７】
0004020404.tif 000008
【図８】
0004020404.tif 000009
【図９】
0004020404.tif 000010
【図１０】
0004020404.tif 000011
【図１１】
0004020404.tif 000012
【図１２】
0004020404.tif 000013
【図１３】
0004020404.tif 000014
【図１４】
0004020404.tif 000015
【図１５】
0004020404.tif 000016
【図１６】
0004020404.tif 000017